(57)【要約】【課題】表示画面の状態に関わらずに適切なノイズキャンセルを常時実施可能とした電子機器および同機器の音声入力方法を提供する。【解決手段】この電子機器は、表示画面の１辺と平行に互いに離間して、前記表示画面が露出される表示部の前面にマイクロホン１７ｂおよびマイクロホン１７ｃが配置され、この表示画面の１辺とは異なる他辺と平行に、マイクロホン１７ｂと共にマイクロホン１７ａが配置される。そして、このマイクロホン１７ａ〜ｃのうち、表示画面の１辺が下端となる場合には、マイクロホン１７ｂ，ｃを選択し、また、表示画面の他辺が下端となる場合には、マイクロホン１７ａ，ｂを選択して、ノイズキャンセリングを含む音声入力処理を実行する。【選択図】      図６
2005109830.tif 000002
【特許請求の範囲】
【請求項１】
前面を有する表示部と、
前記表示部に内蔵され、前記前面より露出される表示画面と、
前記表示画面の１辺と平行に互いに離間して前記前面に配置される第１及び第２のマイクロホンと、
前記表示画面の１辺とは異なる他辺と平行に前記第１及び第２のマイクロホンの何れか一方と互いに離間して前記前面に配置される第３のマイクロホンと、
前記第１および第２のマイクロホンまたは前記第１および第３のマイクロホンの２つの組み合わせのうちの一方の組み合わせの２つのマイクロホンを用いて、ノイズキャンセリングを含む音声入力処理を実行する音声入力手段と
を具備することを特徴とする電子機器。
【請求項２】
前記表示部に取り付けられる本体を有し、
前記表示部は前記表示画面を前記本体に向けて重ねられる第１の状態と、前記表示画面を外方に露出して前記本体に重ねられる第２の状態において使用可能であることを特徴とする請求項１記載の電子機器。
【請求項３】
前記表示部を前記本体に接続するヒンジ機構を有し、
前記ヒンジ機構は、
前記表示部を前記本体に対して回動可能にする回動軸と、
前期表示部を前記本体に対して起立させた状態で旋回可能にする旋回軸と、
を具備することを特徴とする請求項２記載の電子機器。
【請求項４】
前記表示画面の１辺が下端となる第３の状態と、前記表示画面の他辺が下端となる第４の状態との何れかの状態を検出する検出手段と、
前記第３の状態の場合、前記第１及び第２のマイクロホンを選択し、前記第４の状態の場合、前記第１及び第３のマイクロホンを選択する選択手段と
をさらに具備し、
前記音声入力手段は、前記選択手段によって選択された２つのマイクロホンを用いることを特徴とする請求項１記載の電子機器。
【請求項５】
前記検出手段は、重力の方向を検知する重力センサであることを特徴とする請求項４記載の電子機器。
【請求項６】
スイッチをさらに具備し、
前記検出手段は、前記スイッチの操作を監視して、前記第３の状態および前記第４の状態の何れかの状態を検出することを特徴とする請求項４記載の電子機器。
【請求項７】
画像の下端側が前記表示画面の１辺側に位置する第１の向きと、画像の下端側が前記表示画面の他辺側に位置する第２の向きとで前記表示装置上に画像を表示可能な画像表示手段と、
前記画像表示手段によって画像が第１の向きで表示されている場合、前記第１および第２のマイクロホンを選択し、前記画像表示手段によって画像が第２の向きで表示されている場合、前記第１および第３のマイクロホンを選択する選択手段と
をさらに具備し、
前記音声入力手段は、前記選択手段により選択された２つのマイクロホンを用いることを特徴とする請求項１記載の電子機器。
【請求項８】
前記表示画面の１辺が下端となる第３の状態と、前記表示画面の他辺が下端となる第４の状態との何れかの状態を検出する検出手段と、
前記表示装置上の画像の向きを前記第１の向きと前記第２の向きとの間で切り換えるスイッチと、
をさらに具備し、
前記選択手段は、前記検出手段の検出結果に基づき、前記第３の状態と前記第４の状態との間で切り換わったことを認識し、かつ、この認識した方向と一致する方向へ、前記画像の向きを前記第１の向きと前記第２の向きとの間で切り換える指示が前記スイッチにより行われたことを認識した場合に、選択するマイクロホンを切り換えることを特徴とする請求項７記載の電子機器。
【請求項９】
前記検知手段は、重力の方向を検知する重力センサであることを特徴とする請求項８記載の電子機器。
【請求項１０】
前面を有する表示部と、
前記表示部に内蔵され、前記前面より露出される表示画面と、
前記表示画面の１辺と平行に互いに離間して前記前面に配置される第１及び第２のスピーカと、
前記表示画面の１辺とは異なる他辺と平行に前記第１及び第２のスピーカの何れか一方と互いに離間して前記前面に配置される第３のスピーカと、
前記第１および第２のスピーカまたは前記第１および第３のスピーカの２つの組み合わせのうちの一方の組み合わせの２つのスピーカを用いて、音声出力処理を実行する音声出力手段と
を具備することを特徴とする電子機器。
【請求項１１】
前面を有する表示部と、前記表示部に内蔵され、前記前面より露出される表示画面と、前記表示画面の１辺と平行に互いに離間して前記前面に配置される第１及び第２のマイクロホンと、前記表示画面の１辺とは異なる他辺と平行に前記第１及び第２のマイクロホンの何れか一方と互いに離間して前記前面に配置される第３のマイクロホンとを具備する電子機器の音声入力方法であって、
前記表示画面の１辺が下端となる第３の状態と、前記表示画面の他辺が下端となる第４の状態との何れかの状態を検出し、
前記第３の状態の場合、前記第１及び第２のマイクロホンを選択し、前記第４の状態の場合、前記第１及び第３のマイクロホンを選択し、
前記選択した２つのマイクロホンを用いて、ノイズキャンセリングを含む音声入力処理を実行する
ことを特徴とする音声入力方法。
【請求項１２】
前面を有する表示部と、前記表示部に内蔵され、前記前面より露出される表示画面と、前記表示画面の１辺と平行に互いに離間して前記前面に配置される第１及び第２のマイクロホンと、前記表示画面の１辺とは異なる他辺と平行に前記第１及び第２のマイクロホンの何れか一方と互いに離間して前記前面に配置される第３のマイクロホンと、画像の下端側が前記表示画面の１辺側に位置する第１の向きと、画像の下端側が前記表示画面の他辺側に位置する第２の向きとで前記表示装置上に画像を表示可能な画像表示手段とを具備する電子機器の音声入力方法であって、
前記画像表示手段によって画像が第１の向きで表示されている場合、前記第１および第２のマイクロホンを選択し、前記画像表示手段によっての画像が第２の向きで表示されている場合、前記第１および第３のマイクロホンを選択し、
前記選択した２つのマイクロホンを用いて、ノイズキャンセリングを含む音声入力処理を実行する
ことを特徴とする音声入力方法。
【発明の詳細な説明】
【技術分野】
【０００１】
この発明は、例えばパーソナルコンピュータなどの電子機器における音声入力時のノイズキャンセリング技術に関する。
【背景技術】
【０００２】
近年、ノートブックタイプのパーソナルコンピュータやＰＤＡ（Personal Digital Assistant）端末など、ポータブルタイプの電子機器が普及し始めている。この種の電子機器の中には、表示部の前面より露出される矩形の表示画面を縦長および横長のいずれの方向でも利用できるものが存在する。
【０００３】
また、この種の電子機器の多くは、マイクロホンを介した音声入力機能やスピーカを介した音声出力機能などのいわゆるサウンド機能を備えている。そして、最近では、２つのマイクロホンを使ってノイズキャンセリングを行う高度な音声入力機能を搭載するものも出始めている。この２つのマイクロホンを使ってノイズキャンセルを行う手法は、マイクロホンアレイシステムなどと称されており、音源を頂点として仮想的に描画される２等辺三角形の両底辺に位置するように２つのマイクロホンを設置し、この２つのマイクロホンから入力される音のうち、両者間での音量レベルの格差が大きい音をノイズとして除去するものである。このマイクロホンアレイシステムを利用すれば、若干騒々しいと感じられる環境で利用する場合であっても、ユーザの音声のみを極めて明瞭に拾い上げることが可能となる。
【０００４】
なお、ノイズキャンセリングを行うマイクロホンアレイシステムとは異なるが、所望の音を取得するための手法としては、複数のマイクロホンを平面的に配列し、これらのマイクロホンから出力される音響信号を適宜選択するといったものも存在する（例えば特許文献１参照）。
【特許文献１】特開２００２−１６５２９２号公報
【発明の開示】
【発明が解決しようとする課題】
【０００５】
前述したように、マイクロホンアレイシステムのノイズキャンセリングを電子機器に適用する場合には、ユーザの口唇部を頂点とした２等辺三角形の両底辺に２つのマイクロホンが位置するように、その２つのマイクロホンの筐体上における設置箇所を考慮する必要がある。従って、表示部の前面に露出される表示画面を有する電子機器では、その表示画面の例えば下端部周辺等であって、その表示画面の垂直方向の中心線から等距離に離間させて設けることが好ましい。
【０００６】
しかしながら、矩形の表示画面を縦長および横長のいずれの方向でも利用できる電子機器の場合、その向きによっては、２つのマイクロホンが表示画面の左端部周辺または右端部周辺の一方に垂直方向に並んでしまい、ユーザの口唇部を頂点とした２等辺三角形が形成されない結果、ノイズキャンセリングがうまく機能しなくなるという問題が発生する。
【０００７】
また、特許文献１は、点在させて設けた複数のマイクロホンの中からいずれか１つのマイクロホンをその時々でユーザが適宜選択するのみであり、この手法では、前述した問題を解決することはできない。
【０００８】
この発明は、このような事情を考慮してなされたものであり、表示画面の状態に関わらずに適切なノイズキャンセルを常時実施可能とした電子機器および同機器の音声入力方法を提供することを目的とする。
【課題を解決するための手段】
【０００９】
前述した目的を達成するために、この発明の電子機器は、前面を有する表示部と、前記表示部に内蔵され、前記前面より露出される表示画面と、前記表示画面の１辺と平行に互いに離間して前記前面に配置される第１及び第２のマイクロホンと、前記表示画面の１辺とは異なる他辺と平行に前記第１及び第２のマイクロホンの何れか一方と互いに離間して前記前面に配置される第３のマイクロホンと、前記第１および第２のマイクロホンまたは前記第１および第３のマイクロホンの２つの組み合わせのうちの一方の組み合わせの２つのマイクロホンを用いて、ノイズキャンセリングを含む音声入力処理を実行する音声入力手段とを具備することを特徴とする。
【００１０】
この発明の電子機器においては、ユーザが目視する表示画面が露出されるように内蔵される表示部の前面に設けられる第１乃至第３のマイクロホンのうち、表示画面の１辺が下端となる状態の場合には、前記第１および第２のマイクロホンを選択し、また、表示画面の他辺が下端となる状態の場合には、前記第１および第３のマイクロホンを選択して、ノイズキャンセリングを含む音声入力処理を実行する。
【００１１】
すなわち、表示画面の１辺が下端となる状態および表示画面の他辺が下端となる状態の何れの場合であっても、ユーザの口唇部を頂点とした２等辺三角形の両底辺に２つのマイクロホンが位置するように、第１乃至第３のマイクロホンの中から２つのマイクロホンを選択することにより、適切なノイズキャンセルが常時実施されることになる。
【発明の効果】
【００１２】
このように、この発明によれば、表示画面の状態に関わらずに適切なノイズキャンセルを常時実施可能とした電子機器および同機器の音声入力方法を提供できる。
【発明を実施するための最良の形態】
【００１３】
以下、図面を参照してこの発明の実施形態を説明する。
【００１４】
図１には、この発明の一実施形態に係る電子機器の外観が示されている。この電子機器１０は、ノートブックタイプのパーソナルコンピュータよりもさらに小型のいわゆるハンドヘルドタイプのポータブルパーソナルコンピュータとして実現されている。
【００１５】
図１に示すように、この電子機器１０の筐体は、大きく分けて、本体部１１と、ディスプレイユニット部１２との２つから構成されている。
【００１６】
本体部１１は、薄い矩形状の箱形の筐体であり、例えばＣＰＵや、メモリ、チップセット、ハードディスクドライブのようなポータブルパーソナルコンピュータを構成する各種電子部品を収容する。この本体部１１の上面には、キーボード配置領域が設けられ、そのキーボード配置領域にはキーボードが配置されている。本体部１１の後端部には、一対のヒンジ部１３が設けられている。この一対のヒンジ部１３は、ディスプレイユニット部１２を支持するための部品取り付け部である。
【００１７】
ディスプレイユニット部（表示部）１２も、薄い矩形状の箱形の筐体であり、ディスプレイユニット本体を収容する。ディスプレイユニット本体前面には、表示画面が露出するようにＬＣＤ（Liquid Crystal Display）１４が組み込まれている。ＬＣＤ１４の表示画面は、ディスプレイユニット部１２のほぼ中央に配置される。このＬＣＤ１４は、スタイラスペンまたは指によって指示された位置を認識可能ないわゆるタッチスクリーンデバイスとして実現されている。
【００１８】
ディスプレイユニット部１２の下端部の中央に取り付けられた支持部１５は、本体部１１の外面に対して平行に延びた第１の中心軸Ａ（回動軸）の回りでディスプレイユニット部１２が回動するように、一対のヒンジ部１３に支持されている。これにより、ディスプレイユニット部１２は、本体部１１の上面全体およびディスプレイユニット本体前面のＬＣＤ１４の表示画面がそれぞれ露出される図示の開放位置（第１開放位置）と、ディスプレイユニット本体正面が本体部１１の前面全体を覆う閉塞位置（第１の状態）との間を回動自在に支持される。
【００１９】
また、ディスプレイユニット部１２は、第１の中心軸Ａに対して垂直に支持部１５からディスプレイユニット部１２に延びた第２の中心軸Ｂ（旋回軸）の回りで旋回するように、支持部１５に支持されている。これにより、ディスプレイユニット部１２は、第２の中心軸Ｂを中心として、本体部１１の外面に対して水平方向に３６０度回転することができる。第２の中心軸Ｂを中心にディスプレイユニット部１２を水平方向に１８０度回転した状態（ディスプレイユニット本体裏面を正面側に向けた状態）で、第１の中心軸Ａを中心にしてディスプレイユニット部１２を本体部１１の上面全体を覆う閉塞位置（第２の状態）にセットすると、図２および図３に示すように、このディスプレイユニット部１２を第２開放位置に配置することができる。この第２開放位置においては、ディスプレイユニット部１２正面のＬＣＤ１４の表示画面が露出され、かつ、ディスプレイユニット本体裏面が本体部１１の上面全体を覆うことになる。
【００２０】
つまり、ディスプレイユニット部１２が第１開放位置にある状態（図１）とすれば、ユーザは、この電子機器１０を通常のノートブック型パーソナルコンピュータと同様のスタイル（以下、これをＰＣスタイルと称することがある）で使用でき、一方、ディスプレイユニット部１２が第２開放位置にある状態（図２，３）とすれば、ユーザは、この電子機器１０を通常のＰＤＡ（Personal Digital Assistants）と同様のスタイル（以下、これをＰＤＡスタイルと称することがある）で使用できるわけである。
【００２１】
また、この電子機器１０は、ＰＤＡスタイルにおいては、図２に示すように、ＬＣＤ１４の表示画面を縦長に利用（第３の状態）することも可能であるし、図３に示すように、ＬＣＤ１４の表示画面を横長に利用（第４の状態）することも可能である。そのために、このＬＣＤ１４の表示画面の向きをユーザが任意に切り換えるためのスイッチ１６が、ディスプレイユニット部１２に設けられている。
【００２２】
さらに、この電子機器１０は、ユーザの音声をノイズキャンセリングを施した上で入力する高度な音声入力機能を搭載しており、そのために、マイクロホン１７ａ〜ｃの３つのマイクロホンをディスプレイユニット部１２に設けている。そして、このマイクロホン１７ａ〜ｃの３つのマイクロホンをディスプレイユニット部１２に設けた点が、この電子機器１０の特徴とする点であり、以下、この点について詳述する。
【００２３】
まず、図４を参照して、この電子機器１０のシステム構成を説明する。
【００２４】
本体部１１の内部には、図４に示すように、ＣＰＵ１０１、システムコントローラ１０２、主メモリ１０３、Ｉ／Ｏコントローラ１０４、ハードディスクドライブ（ＨＤＤ）１０５、オーディオコントローラ１０６、ＢＩＯＳ−ＲＯＭ１０７、キーボードコントローラ（ＫＢＣ）１０８、カードコントローラ１０９などが内蔵されている。
【００２５】
ＣＰＵ１０１は、この電子機器１０の動作を制御するプロセッサであり、ＨＤＤ１０５から主メモリ１０３にロードされるオペレーティングシステムや、ユーティリティを含む各種アプリケーションプログラムを実行する。この各種アプリケーションプログラムの１つとして、後述するマイクロホンアレイシステム２００が存在する。また、ＣＰＵ１０１は、ＢＩＯＳ−ＲＯＭ１０７に格納されたＢＩＯＳ（Basic Input Output System）も実行する。ＢＩＯＳは、この電子機器１０を構成する各種ハードウェアを制御するためのプログラムである。
【００２６】
システムコントローラ１０２は、ＣＰＵ１０１とＩ／Ｏコントローラ１０４との間を繋ぐブリッジデバイスであり、ここには主メモリ１０３を制御するメモリコントローラやＬＣＤ１４を制御する表示コントローラなどが内蔵されている。Ｉ／Ｏコントローラ１０４は、ＣＰＵ１０１の制御の下、自身に接続された各デバイスとの通信を実行する。このＩ／Ｏコントローラ１０４は、ＵＳＢ（Universal Serial Bus）ホストコントローラを含んでおり、本体部１１に設けられたＵＳＢコネクタ１１０を介して接続される各種ＵＳＢデバイスを制御する。
【００２７】
オーディオコントローラ１０６は、ＣＰＵ１０１の制御の下、マイクロホン１７ａ〜ｃから音声信号を入力する音声入力処理と、オーディオ信号をスピーカ１１１から出力するオーディオ再生処理とを実行する。そして、この音声入力処理を適切に実行するための制御を司るのが前述のマイクロホンアレイシステム２００である。
【００２８】
ＫＢＣ１０８は、１チップマイクロコンピュータから構成されており、キーボード（ＫＢ）１１２、タッチパッド１１３およびボタン群１１４の操作を検出するために、これらとそれぞれ接続されている。なお、前述のスイッチ１６は、このボタン群１１４の中の１つである。また、ＫＢＣ１０８は、ＰＤＡスタイル検出スイッチ１１５および重力センサ１１６とも電気的に接続されている。このＰＤＡスタイル検出スイッチ１１５は、ディスプレイユニット部１２が、第１の開放位置および第２の開放位置のいずれに配置されているのか、つまり、電子機器１０がＰＣスタイルおよびＰＤＡスタイルのいずれのスタイルで使用されているかを判別するためのスイッチである。一方、重力センサ１１６は、ＰＤＡスタイルで使用されていると判別した場合に、さらにＬＣＤ１４の表示画面が縦長および横長のいずれの向きで利用されているのかを判別するためのスイッチである。
【００２９】
そして、カードコントローラ１０９は、ＣＰＵ１０１の制御の下、本体部１１に設けられたカードスロット１１７に挿入されるメモリカードや通信カードのような各種カードを制御する。
【００３０】
次に、図５および図６を参照して、このようなシステム構成を有する電子機器１０におけるマイクロホンアレイシステム２００の動作原理を説明する。
【００３１】
マイクロホンアレイシステム２００は、ユーザの音声をノイズキャンセリングを施した上で入力する高度な音声入力機能を提供するためのユーティリティプログラムであり、その仕組みは、図５に示すように、音源を頂点として仮想的に描画される２等辺三角形の両底辺に位置するように２つのマイクロホンを設置し、この２つのマイクロホンから入力される音のうち、両者間での音量レベルの格差が大きい音をノイズとして除去するといったものである。
【００３２】
また、この電子機器１０は、前述したように、ＰＣスタイルおよびＰＤＡスタイルのいずれのスタイルでも使用することができ、さらに、ＰＤＡスタイルの場合には、図２および図３に示したように、ＬＣＤ１４の表示画面を縦長および横長のいずれの向きでも利用することができる。そこで、マイクロホンアレイシステム２００は、ＰＤＡスタイル検出スイッチ１１５により電子機器１０がＰＤＡスタイルとして使用されていることが判別された場合、重力センサ１１６の検出結果に応じて、マイクロホン１７ａ〜ｃの３つのマイクロホンの中の２つのマイクロホンを選択する。
【００３３】
より具体的には、図６に示すように、重力センサ１１６によりＬＣＤ１４の表示画面が縦長の向きで利用されていることが判別された場合（図６の（Ａ））、マイクロホンアレイシステム２００は、マイクロホン１７ｂ，ｃの２つのマイクロホンを選択し、一方、重力センサ１１６によりＬＣＤ１４の表示画面が横長の向きで利用されていることが判別された場合には（図６の（Ｂ））、マイクロホンアレイシステム２００は、マイクロホン１７ａ，ｂの２つのマイクロホンを選択する。
【００３４】
図６の（Ａ），（Ｂ）いずれの場合も、ＬＣＤ１４の表示画面を目視するユーザの口唇部は、その表示画面の下端側となる１辺のほぼ中心部からの法線上に位置することになると推測される。つまり、図６の（Ａ），（Ｂ）いずれの場合も、電子機器１０の表示画面の下端側に沿って離間させて設けられた形となる２つのマイクロホン（マイクロホン１７ｂ，ｃまたはマイクロホン１７ａ，ｂ）を選択することにより、マイクロホンアレイシステム２００は、ユーザの口唇部と２つのマイクロホンとの間で２等辺三角形の位置関係が保たれるようにし、表示画面の状態に関わらずに適切なノイズキャンセルを常時実施可能とする。
【００３５】
なお、ＰＤＡスタイル検出スイッチ１１５により電子機器１０がＰＤＡスタイルとして使用されていることが判別された場合、マイクロホンアレイシステム２００は、マイクロホン１７ａ，ｂの２つのマイクロホンを固定的に選択する。
【００３６】
また、マイクロホンアレイシステム２００は、重力センサ１１６の検出結果からＬＣＤ１４の表示画面の向きが変わった旨を検知した場合、例えば図６の（Ａ）の向きから図６の（Ｂ）の向きへと持ち替えられたことが推測される場合、マイクロホン１７ｂ，ｃからマイクロホン１７ａ，ｂへの切り換えを、即時的に行っても良いし、また、即時的には行わなくとも良い。即時的には行わない場合、マイクロホンアレイシステム２００は、このマイクロホンの切り換えを、例えばスイッチ１６の操作、つまりユーザからＬＣＤ１４の表示画面の向きを切り換えるための指示がなされるのを待機して実行すれば良い。その結果、このマイクロホンの切り換えは、ＬＣＤ１４の表示画面の向きの切り換えと同期して行われることになる。
【００３７】
図７は、電子機器１０がＰＤＡスタイルで使用されている場合におけるマイクロホンアレイシステム２００の動作手順を示すフローチャートである。
【００３８】
マイクロホンアレイシステム２００は、重力センサ１１６の検出結果を取得し（ステップＡ１）、ＬＣＤ１４の表示画面の向きを判定すると（ステップＡ２）、現在、つまりこれまでの表示方向と一致しているかどうかを調べる（ステップＡ３）。もし、一致していなければ（ステップＡ３のＮＯ）、マイクロホンアレイシステム２００は、次に、スイッチ１６による表示方向の切り換え指示がユーザからなされているかどうかを調べる（ステップＡ４）。
【００３９】
そして、この表示方向の切り換え指示がなされると（ステップＡ４のＹＥＳ）、ＬＣＤ１４に対する表示方向が切り換えられるので（ステップＡ５）、マイクロホンアレイシステム２００は、この切り換えと同期して、選択する２つのマイクロホンの切り換えを実行する（ステップＡ６）。
【００４０】
このように、この電子機器１０では、マイクロホンアレイシステム２００が、その利用時のスタイルとＬＣＤ１４の表示画面の向きとに基づき、マイクロホン１７ａ〜ｃの３つのマイクロホンの中からマイクロホン１７ｂ，ｃまたはマイクロホン１７ａ，ｂの２つのマイクロホンを選択すべく動作するので、ノイズキャンセルを常時適切に機能させることが可能となる。
【００４１】
なお、前述した実施形態では、マイクロホンアレイシステム２００が、重力センサ１１６の検出結果（およびスイッチ１６の操作）に基づいて、選択する２つのマイクロホンの切り換えを実行する例を説明したが、ＬＣＤ１４の表示画面の実際の向きを検証することなく、また、ユーザの誤操作に対処することなく、スイッチ１６の操作のみに基づき、選択する２つのマイクロホンの切り換えを実行することも可能ではある。このような仕様とする場合には、重力センサ１１６の設置は不要となる。
【００４２】
また、前述した実施形態では、ＰＣスタイルおよびＰＤＡスタイルのいずれのスタイルでも使用できるハンドヘルドタイプのポータブルパーソナルコンピュータとして実現された電子機器を例に説明したが、これに限られず、箱形の筐体上面にＬＣＤが配置された形状の典型的なＰＤＡ端末においても、本発明の手法は当然に適用可能である。
【００４３】
さらに、前述した実施形態では、表示画面の状態に関わらずに適切なノイズキャンセルを行うために、３つのマイクロホンのうち、ユーザとの位置関係から最も適した２つのマイクロホンを選択する例を説明したが、本発明の手法は、これに限られず、例えば表示画面の状態に関わらずに適切なステレオ音声の出力を行うために、３つのスピーカのうち、ユーザとの位置関係から最も適した２つのスピーカを選択する等、様々な応用が可能である。
【００４４】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４５】
【図１】本発明の実施形態に係る電子機器のＰＣスタイル時における外観を示す図
【図２】同実施形態の電子機器のＰＤＡスタイル（第１の向き）時における外観を示す図
【図３】同実施形態の電子機器のＰＤＡスタイル（第２の向き）時における外観を示す図
【図４】同実施形態の電子機器のシステム構成を示す図
【図５】同実施形態の電子機器において実施されるノイズキャンセリングの仕組みを説明するための概念図
【図６】同実施形態の電子機器におけるマイクロホンアレイシステムの動作原理を説明するための概念図
【図７】同実施形態の電子機器がＰＤＡスタイルで使用されている場合におけるマイクロホンアレイシステムの動作手順を示すフローチャート
【符号の説明】
【００４６】
１０…電子機器、１１…本体部、１２…ディスプレイユニット部、１３…ヒンジ部、１４…ＬＣＤ、１５…支持部、１６…スイッチ、１７ａ〜ｃ…マイクロホン、１０１…ＣＰＵ、１０２…システムコントローラ、１０３…主メモリ、１０４…Ｉ／Ｏコントローラ、１０５…ハードディスクドライブ（ＨＤＤ）、１０６…オーディオコントローラ、１０７…ＢＩＯＳ−ＲＯＭ、１０８…キーボードコントローラ（ＫＢＣ）、１０９…カードコントローラ、１１０…ＵＳＢコネクタ、１１１…スピーカ、１１２…キーボード（ＫＢ）、１１３…タッチパッド、１１４…ボタン群、１１５…ＰＤＡスタイル検出スイッチ、１１６…重力センサ、１１７…カードスロット、２００…マイクロホンアレイシステム、Ａ…第１の中心軸、Ｂ…第２の中心軸。
【図１】
2005109830.tif 000003
【図２】
2005109830.tif 000004
【図３】
2005109830.tif 000005
【図４】
2005109830.tif 000006
【図５】
2005109830.tif 000007
【図６】
2005109830.tif 000008
【図７】
2005109830.tif 000009